(57)【特許請求の範囲】
【請求項１】
磁気駆動装置と、該磁気駆動装置を電気的に接続するフレキシブル基板とを有するレンズ鏡筒と、
回転して前記レンズ鏡筒を駆動する円筒部材であって、該円筒部材を貫通して前記フレキシブル基板を前記レンズ鏡筒の内部から外部に通す第１の溝部と、該円筒部材の外径側に設けられた第２の溝部とを備える円筒部材と、
前記第２の溝部に係合して追従する追従部を有し、前記追従部が前記第２の溝部に追従することによって前記第２の溝部に沿って移動する可動部材とを備え、
前記第１の溝部と前記第２の溝部が前記円筒部材の回転方向に重複する配置を有し、
前記第１の溝部の外径側面取り部と、前記第２の溝部の、前記第１の溝部の端部まで延伸する傾斜部の傾斜面とが、前記円筒部材の回転方向に連続して繋がっており、
非撮影状態と撮影状態とを有する前記撮像装置の状態に応じて、前記フレキシブル基板と前記追従部とが、前記第１の溝部と前記第２の溝部とが重複する領域を通過し、
前記第１の溝部の外径側面取り部と前記第２の溝部の前記傾斜部の傾斜面とが、同じ角度を有し、
前記追従部は、前記撮像装置の状態が前記非撮影状態から前記撮影状態に遷移するに伴って、前記第２の溝部に追従しながら前記第１の溝部の方向に変位し、前記第１の溝部が設けられた領域に至って前記第２の溝部の底が無くなった後は、前記第２の溝部の傾斜部に係合して変位する
ことを特徴とする撮像装置。
【請求項２】
前記円筒部材の外径側の、前記第１、第２の溝部から撮像面側に離れた位置に、前記追従部が係合及び追従可能な第３の溝部が設けられており、
前記可動部材は、前記追従部が前記第３の溝部に係合して追従することによって前記第３の溝部に沿って移動し、
前記追従部は、前記第２の溝部へ係合する状態から前記第３の溝部へ係合する状態、又は前記第３の溝部へ係合する状態から前記第２の溝部へ係合する状態に遷移し、
前記追従部が通過可能である前記第１、第２の溝部の光軸方向の範囲が、該追従部が通過可能である前記第３の溝部の光軸方向の範囲と重複する
ことを特徴とする請求項１に記載の撮像装置。
【請求項３】
前記円筒部材の外径側の、前記第１、第２の溝部から被写体側に離れた位置に設けられた第３の溝部を備え、
前記可動部材が有する前記追従部は、前記第２の溝部又は前記第３の溝部に係合して追従することによって該第２又は第３の溝部に沿って移動し、
非撮影状態と撮影状態とを有する前記撮像装置の状態に応じて、前記フレキシブル基板と前記追従部とが、前記第１の溝部と前記第２の溝部とが重複する領域を通過し、
前記追従部が通過可能である前記第１、第２の溝部の光軸方向の範囲が、該追従部が通過可能である前記第３の溝部の光軸方向の範囲と重複する
ことを特徴とする請求項１に記載の撮像装置。
【請求項４】
前記可動部材は、ファインダーレンズである
ことを特徴とする請求項１に記載の撮像装置。
【請求項５】
前記可動部材は、発光ユニットを保持する保持部材である
ことを特徴とする請求項１乃至３のいずれか１項に記載の撮像装置。
【請求項６】
前記磁気駆動装置は、光量を調節する絞りシャッタ装置である
ことを特徴とする請求項１乃至５のいずれか１項に記載の撮像装置。
【請求項７】
前記磁気駆動装置は、防振装置である
ことを特徴とする請求項１乃至５のいずれか１項に記載の撮像装置。
【発明の詳細な説明】
【技術分野】
【０００１】
本発明は、撮像装置に関する。
【背景技術】
【０００２】
ファインダーや、ズーム又はポップアップ可能なストロボ等の外部装置を備える撮像装置であって、レンズ鏡筒の駆動に連動して外部装置を駆動させる撮像装置が提案されている。例えば、下記の特許文献１は、ファインダー、ストロボ等の外部装置を駆動させるカム板を、レンズ鏡筒の沈胴位置からの繰り出し動作及び沈胴位置への繰り込み動作に連動させる鏡筒ユニットを提案している（特許文献１の図３乃至６を参照）。この鏡筒ユニットは、ファインダカム板が備えるピンと移動カム環が備えるピンとを溝穴形状部を通じて直接当接させて、ファインダカム板が移動カム環と連動して動作するようにする。
【先行技術文献】
【特許文献】
【０００３】
【特許文献１】特開２００８−１７６０４９号公報
【発明の概要】
【発明が解決しようとする課題】
【０００４】
上記特許文献１が提案する鏡筒ユニットの構成では、ファインダー、ストロボ等の外部装置を駆動させる機能部品としてカム板が必要であり、カム板を付勢するバネ等も含め部品点数が増加する。その結果、カメラ全体がコストアップするという問題がある。また、カム板を無くして、カメラが、鏡筒の最外径に配置される回転筒に外部装置を駆動させるカムが設けられた構成を採るようにすることが考えられる。しかし、このような構成によっても、鏡筒内部から外部に電気接続を取るフレキシブル基板の貫通溝に干渉しないように配置する必要がある。その結果、カメラを大きくするだけでなく、設計の自由度も阻害されるという問題が生じる。
【０００５】
本発明は、撮像装置を大きくすることなく、レンズ鏡筒を駆動する円筒部材に、外部装置の駆動に用いる溝部とフレキシブル基板を通すための溝部とをレイアウトすることができる撮像装置の提供を目的とする。
【課題を解決するための手段】
【０００６】
本発明の一実施形態の撮像装置は、磁気駆動装置と、該磁気駆動装置を電気的に接続するフレキシブル基板とを有するレンズ鏡筒と、回転して前記レンズ鏡筒を駆動する円筒部材であって、該円筒部材を貫通して前記フレキシブル基板を前記レンズ鏡筒の内部から外部に通す第１の溝部と、該円筒部材の外径側に設けられた第２の溝部とを備える円筒部材と、前記第２の溝部に係合して追従する追従部を有し、前記追従部が前記第２の溝部に追従することによって前記第２の溝部に沿って移動する可動部材とを備える。前記第１の溝部と前記第２の溝部が前記円筒部材の回転方向に重複する配置を有する。前記第１の溝部の外径側面取り部と、前記第２の溝部の、前記第１の溝部の端部まで延伸する傾斜部の傾斜面とが、前記円筒部材の回転方向に連続して繋がっている。非撮影状態と撮影状態とを有する前記撮像装置の状態に応じて、前記フレキシブル基板と前記追従部とが、前記第１の溝部と前記第２の溝部とが重複する領域を通過する。前記第１の溝部の外径側面取り部と前記第２の溝部の前記傾斜部の傾斜面とが、同じ角度を有する。前記追従部は、前記撮像装置の状態が前記非撮影状態から前記撮影状態に遷移するに伴って、前記第２の溝部に追従しながら前記第１の溝部の方向に変位し、前記第１の溝部が設けられた領域に至って前記第２の溝部の底が無くなった後は、前記第２の溝部の傾斜部に係合して変位する。
【発明の効果】
【０００７】
本発明の撮像装置によれば、撮像装置を大きくすることなく、レンズ鏡筒を駆動する円筒部材に、外部装置の駆動に用いる溝部とフレキシブル基板を通すための溝部とをレイアウトすることができる。
【図面の簡単な説明】
【０００８】
【図１】撮像装置が備えるレンズ鏡筒の斜視図の例である。
【図２】レンズ鏡筒の分解斜視図の例である。
【図３】２群レンズホルダが備える磁気駆動装置を示す図である。
【図４】撮像装置が備えるストロボの分解斜視図の例である。
【図５】撮像装置の使用位置に応じたストロボホルダの変位を説明する図である。
【図６】撮像装置が備えるファインダーレンズの例を示す図である。
【図７】撮像装置の外観斜視図の例である。
【図８】発光ユニットの分解斜視図の例である。
【図９】レンズ鏡筒と発光ユニットとの連動を説明する図である。
【図１０】発光ユニットの状態の遷移を説明する図である。
【図１１】スライダを光軸方向に手動で移動させたときの動作を示す図である。
【図１２】実施例３、４を説明する図である。
【発明を実施するための形態】
【０００９】
図１乃至６を参照して、本発明の実施例１の撮像装置について説明する。この撮像装置は、例えばズーム可能なストロボとファインダーを外部装置として備える。
【００１０】
図１は、実施例１の撮像装置が備えるレンズ鏡筒の斜視図の例である。図１（Ａ）は、レンズ鏡筒が収納された状態を示す。この状態のときには、図１（Ａ）の点線部に示すストロボとファインダーは、ＳＩＮＫ位置に配置されている。ＳＩＮＫ位置は、非撮影状態に対応する。図１（Ｂ）は、撮像装置の電源がＯＮとなってレンズ鏡筒が繰り出した状態、すなわち、撮影状態を示す。この状態のときには、図１（Ａ）の破線部に示すストロボとファインダーは、ＷＩＤＥ位置に配置されている。ＷＩＤＥ位置は、撮像装置が備えるズームレンズ機構のワイドの状態に対応する。
【００１１】
図２は、図１に示すレンズ鏡筒の分解斜視図の例である。図２に示すレンズ鏡筒の光学系は、１群レンズと２群レンズと不図示のフォーカシングレンズである３群レンズとを備える。１群レンズは１群レンズホルダ１０に保持され、２群レンズは２群レンズホルダ１１に保持される。直進案内板１２はフランジ部の外縁部に複数の突起１６が設けられている。この突起１６が固定カム環１７の内面に設けられた光軸方向へ伸びる複数の溝１８にそれぞれ係合することにより、回転動作を規制され且つ光軸方向へ移動自在に支持される。直進案内板１２には１群レンズホルダ１０の内面に形成された光軸方向へ延びる不図示の溝に係合し、１群レンズホルダ１０を光軸方向へ移動可能に支持する１群案内棒１３が設けられている。同様に、２群レンズホルダ１１の外周部に設けられた２群直進穴１４に係合し、２群レンズホルダ１１を光軸方向へ移動可能に支持する２群案内棒１５が一体的に設けられている。これらにより、１群レンズホルダ１０および２群レンズホルダ１１は光軸方向へ移動自在に構成される。
【００１２】
移動カム環１９の外面部に３箇所角度等分に設けられたカムフォロワー２０は、固定カム環１７の内面に設けられた同形状の３本のカム２１にそれぞれカム係合する。移動カム環１９の回転に伴い、カムフォロワー２０はカム２１の軌跡に沿って係合位置が移動し、これにより移動カム環１９は回転しながら光軸方向に進退することができる。さらに、移動カム環１９の内面後端部に設けられたフランジ２２に直進案内板１２のフック２３が係合することにより、直進案内板１２は、移動カム環１９に対して回転自在に係合する。これにより、移動カム環１９の光軸方向への変位に伴い、直進案内板１２も共に光軸方向へ変位することができる。
【００１３】
１群レンズホルダ１０の外面部に３箇所角度等分に設けられた１群カムフォロワー２４は、移動カム環１９の内面に設けられた同形状の３本の１群カム２５にそれぞれカム係合する。移動カム環１９の回転に伴い、１群カムフォロワー２４は１群カム２５の軌跡に沿って係合位置が移動する。また、１群レンズホルダ１０は光軸方向へ移動するよう案内されているので、移動カム環１９の回転に伴い、１群カム２５の光軸方向への変位量に合わせて変位する。
【００１４】
２群レンズホルダ１１の外面部に３箇所角度等分に設けられた２群カムフォロワー２６は、移動カム環１９の内面に設けられた同形状の３本の２群カム２７にそれぞれカム係合する。移動カム環１９の回転に伴い、２群カムフォロワー２６は２群カム２７の軌跡に沿って係合位置が移動する。また、２群レンズホルダ１１は光軸方向へ移動するよう案内されているので、２群レンズホルダ１１は移動カム環１９の回転に伴い、２群カム２７の光軸方向への変位量に合わせて変位する。また、２群レンズホルダ１１は２つの磁気駆動装置を備えている。
【００１５】
図３は、２群レンズホルダが備える磁気駆動装置を示す図である。図３（Ｂ）に示すように、２群レンズホルダ１１の被写体側に防振装置１１ａ、撮像面側に光量を調節する絞りシャッタ装置１１ｂが配置される。防振装置１１ａと絞りシャッタ装置の各々は磁気駆動装置である。これらの磁気駆動装置は、図３（Ｂ）中の矢印に示すように、２群レンズホルダ１１に対して前後から取り付く。防振装置１１ａ、絞りシャッタ装置１１ｂには、鏡筒内部から外部へ電気接続を取るためのフレキシブル基板であるフレキシブル基板５０ａ、フレキシブル基板５０ｂがそれぞれ設けられている。すなわち、フレキシブル基板５０ａ、フレキシブル基板５０ｂは、それぞれ、防振装置１１ａ、絞りシャッタ装置１１ｂに電気的接続を取る。図３（Ａ）に示すように、磁気駆動装置が取り付いた状態の２群レンズホルダ１１においては、フレキシブル基板５０ａとフレキシブル基板５０ｂが同じ位置に引き出され、フレキシブル基板５０として一箇所にまとめられている。
【００１６】
図２に戻って、移動カム環１９の外面に３箇所角度等分に設けられた駆動ピン２８は、固定カム環１７の内面から外面に貫通するカム穴２９を貫通して、固定カム環１７の外面から突出する。カム２１とカム穴２９の軌跡は同形状である。そして、駆動ピン２８は、移動カム環１９の固定カム環１７に対する回転繰り出し移動に対して、カム穴２９の軌跡に沿って突出した状態を維持する。
【００１７】
駆動環３０は、回転してレンズ鏡筒を駆動する円筒部材である。駆動環３０は、固定カム環１７の外面に嵌合して回転自在に支持される。駆動環３０の内面には、光軸方向へ伸びる溝３１が３箇所角度等分に配置され、溝３１のぞれぞれが駆動ピン２８に係合するよう構成されている。これにより、駆動環３０の回転が溝３１と駆動ピン２８を介して移動カム環１９へと伝達される。この駆動環３０は、貫通溝３５とストロボカム３０ａとを備える。貫通溝３５は、駆動環３０を貫通してフレキシブル基板５０をレンズ鏡筒の内部から外部に通す第１の溝部である。また、ストロボカム３０ａは、該駆動環３０の外径側に設けられた第２の溝部である。ストロボカム３０ａは、外部装置に駆動力を伝達する。
【００１８】
１群レンズホルダ１０、２群レンズホルダ１１、直進案内板１２、固定カム環１７、移動カム環１９および駆動環３０は一体となり、それぞれが連携して動作する。そして、この一体となった部品が鏡筒ベース３２へと組み込まれる。さらに、不図示の撮像素子を保持する撮像素子ホルダ３３が、鏡筒ベース３２と共に固定カム環１７のフランジ部分を挟み込むように固定されて、レンズ鏡筒が構成される。
【００１９】
レンズ鏡筒の駆動源４４は、電力を動力へと変換する電磁モータである。駆動源４４の動力は、ギア列４５を介して駆動環３０の外面に設けられた駆動環ギア４６へと伝達される。これにより、撮像装置本体からの駆動源４４への通電に応じて駆動環３０を回転させることができる。
【００２０】
図４は、実施例１の撮像装置が備えるストロボの分解斜視図の例である。このストロボは、ズーム可能な発光ユニットである。図４に示すように、鏡筒ベース３２にシャフト３８が取り付けられ、シャフト３８にキセノン管、反射傘を一体的に進退させるストロボホルダ４１が摺動嵌合する。ストロボホルダ４１はストロボを保持する保持部材である。ストロボホルダ４１のガタ取りのために、圧縮バネ４２が、鏡筒ベース３２の後端３２ａとストロボホルダ４１に挟み込むように配置される。この圧縮バネ４２が、常にストロボホルダ４１を被写体側に付勢する。ストロボホルダ４１が備えるカムフォロワー４１ａは、ストロボカム３０ａの傾斜部と係合して追従する追従部である。従って、ストロボホルダ４１は、カムフォロワー４１ａがストロボカム３０ａに追従することによってカムフォロワー４１ａと一体的にストロボカム３０ａに沿って移動する可動部材として機能する。
【００２１】
図５は、撮像装置の使用位置に応じたストロボホルダの変位を説明する図である。図５（Ａ）はＳＩＮＫ位置を示す。図５（Ｂ）はＷＩＤＥ位置を示す。図５（Ｃ）はＴＥＬＥ位置を示す。ＴＥＬＥ位置は、撮像装置が備えるズームレンズ機構のテレの状態に対応する。
【００２２】
ストロボカム３０ａは、ＳＩＮＫ位置からＷＩＤＥ位置にかけて被写体側に繰り出す。また、撮像装置が実使用状態となるＷＩＤＥ位置からＴＥＬＥ位置の間では、ＴＥＬＥ位置に進むに従ってわずかに撮像面側に移動するような微量のリフトがストロボカム３０ａにつけられている。これは、撮像装置の使用位置によってストロボ発光の集光度合いを変更し、距離が異なった時の被写体への明るさを調整するためである。これにより、駆動環３０が図５（Ａ）中に示すα方向に回転すると、ストロボホルダ４１がカムフォロワー４１ａと一体的にストロボカム３０ａに沿って移動し、ＳＩＮＫ位置からＷＩＤＥ位置では被写体側に繰り出す。そして、ストロボホルダ４１は、ＷＩＤＥ位置からＴＥＬＥ位置の間では少しずつ撮像面側に移動する。
【００２３】
フレキシブル基板５０を通す貫通溝３５とストロボカム３０ａは、駆動環３０の回転方向に重複する配置を有する。図５（Ａ）に示す例では、ＷＩＤＥ位置からＴＥＬＥ位置に至る途中で、ストロボカム３０ａに貫通溝３５が重複して配置されている。有底であったストロボカム３０ａは貫通溝３５の部分から底が無くなるが、ストロボカム３０ａの傾斜部３０ｇは、そのまま貫通溝３５の領域でも同じように滑らかに繋がっている。すなわち、貫通溝３５の外径側面取り部とストロボカム３０ａの傾斜面３０ｇとが駆動環３０の回転方向に連続して繋がっている。このために、貫通溝３５の外径側面取り部とストロボカム３０ａの傾斜面３０ｇとは、同じ角度を有する。これにより、ストロボホルダ４１のカムフォロワー４１ａ（図４を参照）は、ストロボカム３０ａの傾斜部３０ｇと係合して変位するので、カム底の有無に関係なく作動することができる。
【００２４】
なお、ストロボホルダ４１が備えるカムフォロワー４１ａがカムの傾斜部３０ｇが有する２つの傾斜面の双方に接触する場合は、貫通溝３５を被写体側の傾斜面の始点と撮像面側の傾斜面の終点との間に設けるようにしてもよい。また、カムフォロワー４１ａが被写体側の傾斜面のみに接触する場合は、貫通溝３５の溝端が被写体側の傾斜面の始点よりも撮像面側に位置するように貫通溝３５を設けるようにしてもよい。また、カムフォロワー４１ａが撮像面側の傾斜面のみに接触する場合は、貫通溝３５の溝端が撮像面側の傾斜面の終点よりも被写体側に位置するように貫通溝３５を設けるようにしてもよい。このようにすることによって、カムフォロワー４１ａが貫通溝３５に嵌まり込んでしまうことを防止することができる。
【００２５】
図５（Ａ）に示すＳＩＮＫ位置の状態では、フレキシブル基板５０はストロボカム３０ａのＴＥＬＥ位置に入り込んでおり、その位置でのストロボカム３０ａの傾斜部３０ｇはフレキシブル基板５０を傷つけないような面取り形状の役割を果たしている。同一の傾斜部３０ｇがストロボカム３０ａのＳＩＮＫ位置の端部からＴＥＬＥ位置を越えて貫通溝３５の領域に入り、貫通溝３５の端部まで繋がっている。これにより、ストロボカム３０ａのストロボホルダ４１を変位させるカムの機能と駆動環３０が回転移動する時のフレキシブル基板５０の切れ防止機能を両立している。図５（Ｃ）に示すＴＥＬＥ位置の状態では、フレキシブル基板が入り込んでいた貫通溝３５の領域に、ストロボホルダ４１のカムフォロワー４１ａが入り込んでいる。すなわち、非撮影状態と撮影状態とを有する撮像装置の状態に応じて、フレキシブル基板５０とカムフォロワー４１ａとが、貫通溝３５とストロボカム３０ａとが重複する領域を通過する。言い換えると、フレキシブル基板５０とカムフォロワー４１ａとが、貫通溝３５が設けられた領域を共用する。
【００２６】
図６は、実施例１の撮像装置が備えるファインダーレンズの例を示す図である。図６に示すファインダーレンズは可動部材であり、図４を参照して説明したストロボの構成と同様の構成が適用されている。
【００２７】
図６中に示す駆動環３０はファインダーレンズ５１を変位させるファインダーカム３０ｃとファインダーレンズ５２を変位させるファインダーカム３０ｄとを備える。ファインダーレンズ５１、５２は、ファインダーレンズ５１、５２を光軸方向にのみ進退させるシャフト５３が摺動嵌合するように通され、不図示のベース部材に固定されている。ファインダーレンズ５１と５２との間には不図示の引っ張りバネが掛けられており、お互いが引き合うように付勢されてガタ取りを行っている。また、５１ａ、５２ａはそれぞれ、ファインダーレンズ５１、５２に対応するカムフォロワーであり、図４を参照して説明したカムフォロワー４１ａと同様の機能を有する。すなわち、カムフォロワー５１ａ、５２ａは、それぞれ、ファインダーカム３０ｃ、３０ｄに係合し、駆動環３０の回転に連動して変位する。これにより、ファインダーレンズ５１、５２を、それぞれ、カムフォロワー５１ａ、５２ａと一体的に駆動環３０の回転に連動して変位させることができる。
【００２８】
また、駆動環３０が回転することで、ファインダーレンズ５１と５２は光軸方向に進退し、不図示の他のファインダーレンズと合わせて変倍を行う。図３を参照して説明した２群レンズホルダ１１のフレキシブル基板５０は、ファインダーカム３０ｃに重複するように施された貫通溝５４を通って鏡筒内部から外部に引き出されている。この貫通溝５４は、ファインダーレンズ５１のファインダーカム３０ｃのリフトを持っている部分（貫通溝の端部５４ａ）から開始され駆動環３０の回転角度分以上の長さとなっている。カムの傾斜部３０ｅはフレキシブル基板５０の面取りの役割を果たしている。貫通溝５４は、ファインダーレンズ５１のリフトの大きめなファインダーカム３０ｃの部分にも設けられているが、フレキシブル基板５０の長さで対応できる範囲においては、リフト部分に重複させることも可能である。図６に示す例では、貫通溝５４の外径側面取り部とファインダーカム３０ｃの傾斜面とが駆動環３０の回転方向に連続して繋がっている。そして、非撮影状態と撮影状態とを有する撮像装置の状態に応じて、フレキシブル基板５０とカムフォロワー５１ａとが、貫通溝５４とファインダーカム３０ｃとが重複する領域を通過する。
【００２９】
本実施例ではカム底の幅とフレキシブル基板５０の貫通溝３５の幅がほぼ同等な寸法関係になっているが、フォロワーと係合するカムの傾斜部さえ確保できていれば広いカム幅の内部に貫通溝を配置しても良い。また、カムの傾斜部の途中まで削れて無くなるような広めの貫通溝としてもよい。上述した実施例１の撮像装置によれば、撮像装置を大きくすることなく、レンズ鏡筒を駆動する円筒部材（駆動環３０）に、ズーム可能なストロボ又はファインダーレンズの駆動に用いる溝部と、フレキシブル基板を通すための溝部とをレイアウトすることができる。
【００３０】
図７から図１０を参照して、本発明の実施例２の撮像装置について説明する。この撮像装置は、例えばポップアップ可能な発光ユニット１を備えるカメラである。発光ユニット１は例えばストロボである。なお、実施例２の撮像装置のレンズ鏡筒は、図２を参照して説明した実施例１の撮像装置のレンズ鏡筒と同様の構成を有する。また、この撮像装置が備える駆動環３０には、図５を参照して説明したストロボカム３０ａ、貫通溝３５が設けられている。
【００３１】
図７は、実施例２の撮像装置の外観斜視図の例である。図７（Ａ）は、非発光状態である場合の撮像装置を示す。図７（Ｂ）は、撮像装置が電源ＯＮしたときの状態である。図７（Ｂ）に示す状態では、撮像装置上方に破線部に示す発光ユニット１が突出して、撮像装置が発光可能である。発光ユニット１は、撮像装置上面の一部を形成するカバー部材２などの複数の部品から構成される。発光ユニット１は、撮像装置中央に位置するレンズ鏡筒の駆動環３０（図２を参照）に連動し、収納状態から突出状態、逆に突出状態から収納状態に遷移する。
【００３２】
図８は、発光ユニットの分解斜視図の例である。図８中に示すキセノン管４０１は発光体であり、リード線４０２で電気的に接続され、フレキシブル基板４０３を介して、発光制御を行うストロボ基板４０４に配線されている。反射笠４０５は、キセノン管４０１からの光を集光させる。キセノン管ゴム４０６は、キセノン管４０１の端子部の絶縁と、キセノン管４０１を反射笠４０５側へ付勢する機能を有する。プリズムパネル４０７は、キセノン管４０１からと前記反射笠４０５からの光を所望の撮影範囲に照射する。このために、プリズムパネル４０７は、入射面および射出面を備えている。キセノン管４０１とプリズムパネル４０７とキセノン管ゴム４０６と反射笠４０５等の発光関連部品は、ストロボホルダ４０８に組み込まれている。また、ストロボホルダ４０８には、軸４１０が軽圧入されている。軸４１０は、ストロボシャフト３０２を回動中心に発光ユニット１を突出方向、収納方向に付勢するトグルバネ４０９の一端を引っ掛ける。トグルバネ４０９の他端は、ストロボベース３０１に備える軸３０１ａに引っ掛かっている。ベース部材４１１は、フレキシブル基板４０３と、ストロボ基板４０４と、ストロボコンデンサー４１２を取り付けるための部材である。ベース部材４１１は、ストロボベース３０１とビス締結し、発光ユニット１を構成している。
【００３３】
レバー式検知スイッチ（以下、スイッチと記述）４０３ａは、発光ユニット１が撮像装置に対し、突出、収納位置のいずれにあるのかを検知する。スイッチ４０３ａは、ベース部材４１１が備える穴４１１ａ内に配置されている。スイッチ４０３ａは、フレキシブル基板４０３に実装されている。ストロボホルダ４０８の突起４０８ａがスイッチ４０３ａのレバーを押し込んでいるときは発光ユニット１が収納状態であることが検知され、撮像装置が非発光状態に遷移する。突起４０８ａがスイッチ４０３ａのレバーから離れたときは、発光ユニット１が突出状態であることが検知されて、撮像装置が発光状態に遷移する。
【００３４】
図９は、レンズ鏡筒と発光ユニットとの連動を説明する図である。図９（Ａ）は、レンズ鏡筒に発光ユニット１への連動機構が組み付けられた状態におけるレンズ鏡筒の斜視図を示す。スライダ３７は、鏡筒ベース３２に保持されたスライダシャフト３８に案内され、光軸方向へ移動可能に支持されている。
【００３５】
図９（Ｂ）は、図９（Ａ）に示すレンズ鏡筒の正面図である。図９（Ｃ）は、図９（Ｂ）に示すレンズ鏡筒のＡ−Ａ断面図である。図９（Ｃ）中には、スライダ３７の駆動源である駆動環３０と係合する箇所の断面を示す。図９（Ｃ）に示すように、スライダ３７が備える光軸に直交する筒状ガイド部に、移動可能な非弾性体のスライダフォロワー３９が収納されている。スライダフォロワー３９は、圧縮バネ４０によって駆動環３０の外面に設けられたストロボカム３０ａに対して付勢し、カム係合している。ストロボカム３０ａにカム係合したスライダフォロワー３９は、このストロボカム３０ａに追従する。駆動環３０が光軸中心に回動することにより、ストロボカム３０ａにカム係合しているストロボフォロワー３９を介し、スライダフォロワー３９と一体化して動作するスライダ３７が光軸方向に移動する。すなわち、スライダ３７は、スライダフォロワー３９がストロボカム３０ａに追従することによってストロボカム３０ａに沿って移動する可動部材である。図１０を参照して説明するように、スライダ３７の移動に伴って発光ユニット１は収納状態から突出状態へ、又は突出状態から収納状態に遷移する。従って、駆動環３０の回動に連動して発光ユニット１の状態が遷移する。
【００３６】
図１０は、発光ユニットの状態の遷移を説明する図である。図１０（Ａ）は発光ユニット１の収納状態を示す。収納状態は、発光ユニット１が収納された状態である。図１０（Ｂ）は、スライダ３７がストロボホルダ４０８の突起４０８ｂに当接した状態を示す。図１０（Ｃ）は、発光ユニット１の突出状態を示す。突出状態は、発光ユニット１が撮像装置に対し突出した状態、すなわち、発光ユニット１の使用時の状態を示す。発光ユニット１は、収納状態と突出状態との間で付勢方向が切り変わるトグルバネ４０９により、収納状態、突出状態のそれぞれにおいて安定的に支持される。
【００３７】
図１０（Ａ）に示すように、スライダ３７のＵ字部３７ａは、発光ユニット１が備えるストロボホルダ４０８から突出した突起４０８ｂを挟み込むように構成される。すなわち、スライダ３７は、発光ユニット１を保持する保持部材である。スライダ３７は、その光軸方向Ｚへの移動に伴って、突起４０８ｂを押圧し（図１０（Ｂ）を参照）、発光ユニット１は、ストロボシャフト３０２を中心として回転力を受ける。この回転力がトグルバネ４０９の付勢力に抗して発光ユニット１を持ち上げ、トグルバネ４０９の付勢方向を切り換える。これにより、図１０（Ｃ）に示すように、発光ユニット１が突出状態へ遷移する。発光ユニット１が突出状態から収納状態へ遷移するときは、上述した発光ユニット１が収納状態から突出状態へ遷移するときの動作と逆の動作が行われる。実施例２の撮像装置によれば、撮像装置を大きくすることなく、レンズ鏡筒を駆動する円筒部材（駆動環３０）に、ポップアップ可能な発光ユニット１の駆動に用いる溝部と、フレキシブル基板を通すための溝部とをレイアウトすることができる。
【００３８】
図１１及び図１２（Ａ）は、本発明の実施例３を説明する図である。実施例３では、撮像装置が備える駆動環３０の外径側の、貫通溝３５（第１の溝部）、ストロボカム３０ａ（第２の溝部）から撮像面側に離れた位置に、ストロボカム３０ｆが第３の溝部として設けられている。撮像装置の発光ユニットを保持するスライダ３７が備えるストロボフォロワー３９が、ストロボカム３０ｆに係合及び追従可能である。スライダ３７は、ストロボフォロワー３９がストロボカム３０ｆに係合して追従することによってストロボカム３０ｆに沿って移動することができる。
【００３９】
実施例３では、手動により、ストロボフォロワー３９が、ストロボカム３０ａに係合する状態からストロボカム３０ｆへ係合する状態へ遷移することができる。また、逆に、手動により、ストロボフォロワー３９が、ストロボカム３０ｆに係合する状態からストロボカム３０ａへ係合する状態へ遷移することができる。
【００４０】
以下に、図１１を参照して、駆動環３０が停止状態である場合に、スライダ３７を光軸方向に手動で移動させたときの動作を説明する。図１１（Ａ）は、ストロボフォロワー３９がストロボカム３０ｆに係合している状態を示す。撮像装置のユーザが、図１１（Ａ）に示す状態のスライダ３７に対し、手動で光軸方向に荷重Ｆを付加すると、ストロボフォロワー３９が、図１１（Ｂ）に示すように、ストロボカム３０ａの斜面に乗り上げる。ストロボフォロワー３９がストロボカム３０ｆの斜面に乗り上げることにより、ストロボフォロワー３９は、スライダ３７内で圧縮バネ４０の押圧力に抗して、図１１（Ｂ）中のＰ方向に移動する。
【００４１】
ユーザが、スライダ３７に対して更に大きな荷重Ｆを付加すると、図１１（Ｃ）に示すように、ストロボフォロワー３９がストロボカム３０ｆから駆動環３０の外周面に乗り上げる。図１１（Ｃ）に示す状態からユーザが更に荷重Ｆを付加し続けると、図１１（Ｄ）に示すように、ストロボフォロワー３９がストロボカム３０ａまで移動し、ストロボカム３０ａにカム係合する。同様に、図１１（Ｄ）に示す状態からユーザが手動でスライダ３７に対して荷重Ｆと逆ベクトルの荷重Ｆ１を付加し続けると、ストロボフォロワー３９の状態が、ストロボカム３０ａにカム係合していた状態からストロボカム３０ｆにカム係合する状態に遷移する。
【００４２】
図１２（Ａ）は、実施例３におけるスライダ３７の変位を説明する図である。スライダ３７が備えるストロボフォロワー３９の基本動作は、図５を参照して説明したカムフォロワー４１ａの動作と同様である。そして、非撮影状態と撮影状態とを有する撮像装置の状態に応じて、フレキシブル基板５０とスライダ３７ａとが、貫通溝３５とストロボカム３０ａとが重複する領域を通過する。言い換えると、フレキシブル基板５０とストロボフォロワー３９とが、貫通溝３５が設けられた領域を共用する。
【００４３】
スライダ３７が図１２（Ａ）中のＳＩＮＫ位置３０ａａに配置されている状態から駆動環３０がβ方向に回転すると、スライダ３７のストロボフォロワー３９が、カム３０ａの撮像面側に沿って移動する。トグルバネ４０９の付勢力が切り替わると、ストロボフォロワー３９が、カム３０ａの被写体面側に押し当てられながらＷＩＤＥ位置３０ａｂに達する。このとき、発光ユニット１は開状態になっている。この状態から、撮像装置のユーザが、発光ユニット１の開状態が不要であると判断し、手動で発光ユニット１を閉じて、トグルバネ４０９を切り換え、ストロボフォロワー３９を位置３０ｆｂに移動させることができる。ストロボフォロワー３９が位置３０ｆｂにある状態から、ユーザが再度ストロボの開状態が必要であると判断した場合、ユーザは、発光ユニット１を手動で開いて、位置３０ｆｂから位置３０ａｂに戻すこともできる。
【００４４】
ストロボフォロワー３９がＷＩＤＥ位置３０ａｂにある状態から、駆動環３０が更にβ方向に回転すると、発光ユニット１の開状態が保たれたまま、ストロボフォロワー３９がＴＥＬＥ位置３０ａｃに到達する。撮像装置のユーザがストロボの開状態が不要であると判断した場合、ユーザは、手動で発光ユニット１を閉じて、トグルバネ４０９を切り換え、ストロボフォロワー３９を位置３０ｆｃに移動させることができる。ストロボフォロワー３９が位置３０ｆｃにある状態から、ユーザが再度ストロボの開状態が必要であると判断した場合、ユーザは、発光ユニット１を手動で開いて、位置３０ｆｃから位置３０ａｃに戻すこともできる。
【００４５】
ストロボカム３０ｆは、トグルバネ４０９の付勢力が切り替わった後の発光ユニット１の閉状態を維持するために用いるカムである。ストロボカム３０ｆ上ではストロボフォロワー３９は滑らかに移動できるので、スライダ３７に対して光軸方向に多少の外力が働いた場合でも発光ユニット１の予期しない開きを防止することができる。実施例３の撮像装置によれば、図１２（Ａ）中に示す斜線部の領域（ＷＩＤＥ位置からＴＥＬＥ位置までの領域）内で、ストロボフォロワー３９を光軸方向に手動で移動させることができる。図１２（Ａ）に示す例では、ストロボフォロワー３９が通過可能である第１、第２の溝部（貫通溝３５、ストロボカム３０ａ）の光軸方向の範囲が、ストロボフォロワー３９が通過可能である第３の溝部（ストロボカム３０ｆ）の光軸方向の範囲と重複する。
【００４６】
図１２（Ｂ）は、本発明の実施例４を示す図である。実施例４の撮像装置が備える駆動環３０には、貫通溝３５（第１の溝部）と、ストロボカム３０ｉ（第２の溝部）と、ストロボカム３０ｈ（第３の溝部）とが設けられている。ストロボカム３０ｈは、第１、第２の溝部から被写体側に離れた位置に設けられている。フレキシブル基板を通す貫通溝３５とストロボカム３０ｉは、駆動環３０の回転方向に重複する配置を有する。図１２（Ａ）に示す例では、ＷＩＤＥ位置からＴＥＬＥ位置に至る途中で、ストロボカム３０ｉに貫通溝３５が重複して配置されている。具体的には、貫通溝３５の外径側面取り部とストロボカム３０ｉの傾斜面とが駆動環３０の回転方向に連続して繋がっている。
【００４７】
撮像装置のユーザは、手動でストロボフォロワー３９をストロボカム３０ｈに係合する状態からストロボカム３０ｉに係合する状態へ切り換えることができる。また、逆に、ユーザは、手動でストロボフォロワー３９をストロボカム３０ｉに係合する状態からストロボカム３０ｈに係合する状態へ切り換えることができる。すなわち、実施例４の撮像装置によれば、図１２（Ｂ）中に示す斜線部の領域（ＷＩＤＥ位置からＴＥＬＥ位置までの領域）内で、ストロボフォロワー３９を光軸方向に手動で移動させることができる。そして、図１２（Ｂ）に示す例では、ストロボフォロワー３９が通過可能である第１、第２の溝部の光軸方向の範囲が、ストロボフォロワー３９が通過可能である第３の溝部の光軸方向の範囲と重複する。
【００４８】
また、実施例４においても、非撮影状態と撮影状態とを有する撮像装置の状態に応じて、フレキシブル基板とストロボフォロワー３９とが、第１の溝部と第２の溝部とが重複する領域を通過する。具体的には、図１２（Ｂ）中のＳＩＮＫ位置の状態では、フレキシブル基板がストロボカム３０ｉのＴＥＬＥ位置に入り込んでいる。ストロボフォロワー３９がストロボカム３０ｈに係合する状態から例えばストロボカム３０ｉに係合する状態へ遷移した後、撮像装置がＴＥＬＥ位置に遷移すると、フレキシブル基板が入り込んでいた貫通溝３５の領域にストロボフォロワー３９が入り込む。
【００４９】
上述した実施例３、４の撮像装置によれば、フレキシブル基板を通すための貫通溝を、駆動環３０に設けられた複数のストロボカムを避けて光軸方向の別の箇所に配置する構成を採る場合よりも、撮像装置をコンパクトにすることができる。以上、本発明の好ましい実施形態について説明したが、本発明はこれらの実施形態に限定されず、その要旨の範囲内で種々の変形及び変更が可能である。
【符号の説明】
【００５０】
３０  駆動環
３０ａ  ストロボカム
３５  貫通溝
５０  フレキシブル基板
【図１】
0005574728.tif 000002
【図２】
0005574728.tif 000003
【図３】
0005574728.tif 000004
【図４】
0005574728.tif 000005
【図５】
0005574728.tif 000006
【図６】
0005574728.tif 000007
【図７】
0005574728.tif 000008
【図８】
0005574728.tif 000009
【図９】
0005574728.tif 000010
【図１０】
0005574728.tif 000011
【図１１】
0005574728.tif 000012
【図１２】
0005574728.tif 000013